(57)【特許請求の範囲】
【請求項１】
被写体を撮影する撮影手段と、
予め設定された補正内容に従って前記撮影手段による撮影により得られた画像情報を補正する補正手段と、
画像形成装置で前記画像情報の補正を行なうときの補正内容を表す補正情報を記録すると共に、該記録されている補正情報が表す補正内容が前記補正内容の設定に反映されているか否かを表す反映情報を記録する着脱自在な記録手段が装着された場合に、該装着された記録手段に記録されている補正情報及び反映情報を読み出す読出手段と、
前記読み出された反映情報が、前記記録されている補正情報が表す補正内容が前記補正内容の設定に反映されていないことを表す場合に、現在設定されている補正内容に前記読み出された補正情報が表す補正内容が反映された新たな補正内容を決定し、前記補正手段が該決定した新たな補正内容で前記画像情報を補正するように該新たな補正内容を設定する設定処理を行なう補正設定手段と、
前記補正設定手段で前記設定処理が行なわれた場合に、前記記録手段に記録されている反映情報に代えて、前記記録されている補正情報が表す補正内容が前記補正内容の設定に反映されていることを表す反映情報を前記記録手段に記録する記録制御手段と、
を備えた撮影装置。
【請求項２】
前記設定処理を以降中止するモード、電源オン時または前記記録手段交換時に自動で前記設定処理を行なうモード、電源オン時または前記記録手段交換時に前記設定処理の可否をユーザに確認させるモード、及び直ちに前記設定処理を行なうモードのいずれかを設定するためのモード設定手段を更に備え、
前記補正設定手段は、前記モード設定手段により設定されたモードに従って前記設定処理を行なうことを特徴とする請求項１記載の撮影装置。
【請求項３】
前記補正情報は、色バランス補正量、明るさ補正量、階調補正量、色合い補正量、及び輪郭補正量の少なくとも１つの補正量を含む請求項１または請求項２に記載の撮影装置。
【発明の詳細な説明】
【０００１】
【発明の属する技術分野】
本発明は、撮影装置に係り、より詳しくは、被写体を撮影することによって得られた画像情報を補正する撮影装置に関する。
【０００２】
【従来の技術】
従来、プリンタでは、デジタルスチールカメラなどの画像入力装置から出力されたデジタル画像データをプリントする際、画像を適正な画質（色、階調、シャープネス）に仕上げる為に、当該プリンタ内で自動画質補正処理（プリンタオートセットアップ）が行なわれている。なお、従来のプリンタには、ユーザーが自分の好みの画質にプリントを仕上げる為に、マニュアル画質調整を行なうことが出来る機能を有するものもある。
【０００３】
【発明が解決しようとする課題】
しかしながら、毎回のマニュアル画質調整はユーザーにとって煩雑である。
【０００４】
また、プリンタにおいて行なうプリントオートセットアップやマニュアル画質調整は、階調飛び、Ｓ／Ｎ悪化などの画質劣化を引き起こしやすい。
【０００５】
ところで、特開平６−１８９２６１５公報には、使用しているＣＣＤの画素数の情報、Ａ／Ｄ変換器の変換特性、デジタル画像の圧縮方式、γ補正の特性情報などの付加情報を記録及び再生する付加情報記録再生回路を備え、レリーズが操作された場合、画像情報を光ディスクに書き込み、画像情報の書き込みが終了すると、上記付加情報を光ディスクに記録するデジタル電子スチールカメラが記載されている。
【０００６】
また、特開平６−８５３７５公報には、メモリカードに、画像データと、画像データに対応させて画像再生情報（当該画像をプリントする際の色合い、明るさ、シャープネス、コントラストなど）と、を記録し、プリンタではメモリカードから画像データ及び画像再生情報を読み出し、画像再生情報に基づいて画像情報を画質補正してプリントするプリンタシステムが記載されている。
【０００７】
これらのいずれの装置においても、プリンタ側で画質補正を行なうので、階調飛び、Ｓ／Ｎ悪化等の画質劣化を引き起こしやすい。
【０００８】
本発明は上記事実に鑑みなされたもので、画像形成装置で行なう画像情報の補正による画質悪化を少なくすることの可能な撮影装置を提案することを目的とする。
【０００９】
【課題を解決するための手段】
上記目的達成のするため請求項１記載の発明は、被写体を撮影する撮影手段と、予め設定された補正内容に従って前記撮影手段による撮影により得られた画像情報を補正する補正手段と、画像形成装置で前記画像情報の補正を行なうときの補正内容を表す補正情報を記録すると共に、該記録されている補正情報が表す補正内容が前記補正内容の設定に反映されているか否かを表す反映情報を記録する着脱自在な記録手段が装着された場合に、該装着された記録手段に記録されている補正情報及び反映情報を読み出す読出手段と、前記読み出された反映情報が、前記記録されている補正情報が表す補正内容が前記補正内容の設定に反映されていないことを表す場合に、現在設定されている補正内容に前記読み出された補正情報が表す補正内容が反映された新たな補正内容を決定し、前記補正手段が該決定した新たな補正内容で前記画像情報を補正するように該新たな補正内容を設定する設定処理を行なう補正設定手段と、前記補正設定手段で前記設定処理が行なわれた場合に、前記記録手段に記録されている反映情報に代えて、前記記録されている補正情報が表す補正内容が前記補正内容の設定に反映されていることを表す反映情報を前記記録手段に記録する記録制御手段と、を備えている。
【００１０】
本発明の撮影手段は、被写体を撮影し、補正手段は予め設定された補正内容に従って撮影手段による撮影により得られた画像情報を補正する。
【００１１】
読出手段は、画像形成装置で前記画像情報の補正を行なうときの補正内容を表す補正情報を記録すると共に、該記録されている補正情報が表す補正内容が前記補正内容の設定に反映されているか否かを表す反映情報を記録する着脱自在な記録手段が装着された場合に、該装着された記録手段に記録されている補正情報及び反映情報を読み出す。
【００１２】
そして、補正設定手段は、読出手段で読み出された反映情報が、記録手段に記録されている補正情報が表す補正内容が上記補正内容の設定に反映されていないことを表す場合に、現在設定されている補正内容に前記読み出された補正情報が表す補正内容が反映された新たな補正内容を決定し、上記補正手段が該決定した新たな補正内容で画像情報を補正するように該新たな補正内容を設定する設定処理を行なう。設定処理後は、記録手段に記録されている反映情報に代えて、記録手段に記録されている補正情報が表す補正内容が上記補正内容の設定に反映されていることを表す反映情報を記録手段に記録する。
【００１３】
ところで、請求項２のように、前記設定処理を以降中止するモード、電源オン時または前記記録手段交換時に自動で前記設定処理を行なうモード、電源オン時または前記記録手段交換時に前記設定処理の可否をユーザに確認させるモード、及び直ちに前記設定処理を行なうモードのいずれかを設定するためのモード設定手段を更に備え、前記補正設定手段は、前記モード設定手段により設定されたモードに従って前記設定処理を行なうようにしても良い。また、請求項３のように、前記補正情報は、色バランス補正量、明るさ補正量、階調補正量、色合い補正量、及び輪郭補正量の少なくとも１つの補正量を含むようにしてもよい。
【００１４】
このように、撮影装置において、画像形成装置で画像情報を補正する為の画像補正情報に従って画像情報を補正するので、画像形成装置で行なう画像情報の補正を少なくすることも出来る。
【００１５】
【発明の実施の形態】
以下、図面を参照して、本発明の実施の形態を説明する。
【００１６】
図１に示すように、プリンタ１００は、デジタルスチールカメラ５０により後述する情報が記録されたスマートメディア３０を装填し、スマートメディア３０に記録された画像データ（ＪＰＥＧ圧縮画像）を解凍（伸張）するＪＰＥＧ圧縮画像解凍回路５２、ＪＰＥＧ圧縮画像解凍回路５２により解凍された画像データの色補正係数を補正するＹＣｒＣｂマトリクス補正回路５４、マトリクス補正回路５４により補正された画像データ（ＹＣｒＣｂ）をＲＧＢデータに変換するＲＧＢ変換回路５６、プリンタ１００の特性に応じて所定色を強調する為に画像データを補正するルックアップテーブル補正回路５８、ルックアップテーブル補正回路５８により補正された画像データ（ＲＧＢデータ）をＹＭＣデータに変換するＹＭＣ変換回路６０、ＹＭＣ変換回路により変換された画像データ（ＹＭＣ画像データ）に基づいて画像をプリント７０にプリントするプリントエンジン６６を備えている。ＪＰＥＧ圧縮画像解凍回路５２、ＹＣｒＣｂマトリクス補正回路５４、ルックアップテーブル補正回路５８には、ＪＰＥＧ圧縮画像解凍回路５２により解凍された画像データを解析するとともにＹＣｒＣｂマトリクス補正回路５４での色補正係数を設定し且つルックアップテーブル補正回路５８による補正内容を表す補正情報を設定するプリンタオートセットアップ係数決定部６２が接続され、ＹＣｒＣｂマトリクス補正回路５４及びルックアップテーブル補正回路５８には、図示しない操作部から入力されたマニュアル画質補正条件（明るさ、色合い、色の濃さ、コントラスト・・・など）を設定するマニュアル画質補正条件設定部６４が接続されている。
【００１７】
ところで、スマートメディア３０の情報記録領域（画像ファイル）６３は、図２（Ａ）示すように、画像の撮影情報（カメラ機種、シリアルナンバー、ストロボ情報、絞り、シャッタ速度、サムネイル等）を記録する領域６３Ａ、プリント情報を記録する領域６３Ｂ、カメラ内画質補正への反映マークを記録する領域６３Ｃ、画像データを記録する領域６３Ｂに分かれている。プリント情報を記録する領域６３Ｂは、図２（Ｂ）に示すように、色バランス補正量を記録する領域６３Ｂ１、明るさ補正量を記録する領域６３Ｂ２、階調補正量を記録する領域６３Ｂ３、色合い補正量を記録する領域６３Ｂ４、及び輪郭補正量を記録する領域６３Ｂ５に分かれている。
【００１８】
なお、画像の撮影情報を記録する領域６３Ａ及び画像データを記録する領域６３Ｂにはそれぞれデジタルスチールカメラ５０により所定の情報が記録される。プリント情報を記録する領域６３Ｂにはプリンタ側でプリント情報が記録される。カメラ内画質補正への反映マークを記録する領域６３Ｃには、プリンタ１００側でカメラ内画質補正への反映マーク無しを記録し、デジタルスチールカメラ側でカメラ内画質補正への反映マーク有りを記録する。
【００１９】
デジタルスチールカメラ５０は、図３に示すように、図示しないレンズ、赤外線カットフィルタ、ローパスフィルタ、及びＣＣＤを備えた、本発明の撮影手段としての撮像装置１０、撮像装置１０により被写体が撮影されて得られた画像信号をＡＥ(明るさ）／ＡＷＢ（ホワイトバランス）補正する補正回路１２、補正回路１２によりホワイトバランス係数等が補正された画像信号をデジタル画像データに変換する変換回路１４、デジタル変換された画像データの色補正係数(マトリクス係数）を補正するリニアマトリクス回路１６、リニアマトリクス回路１６により色補正係数が補正された画像データをγ補正するγ変換回路１８、γ変換回路１８によりγ補正された画像データ（ＲＧＢデータ）をＹＣｒＣｂに変換するＹＣｒＣｂ変換回路２０、ＹＣｒＣｂ変換回路２０により変換された画像データ（ＹＣｒＣｂデータ）に基づいて輪郭強調係数を補正する輪郭補正回路２２、輪郭補正回路２２により輪郭強調係数が補正された画像データの色補正係数を再補正するＹＣｒＣｂマトリクス回路２４、ＹＣｒＣｂマトリクス回路２４により色補正係数が補正された画像データを圧縮する圧縮回路２６、圧縮回路２６により圧縮された画像データを、本発明の記録媒体としてのスマートメディア３０に記録しかつスマートメディア３０に記録された情報を読み取り入力する、本発明の読出手段としてのドライバ２８、圧縮回路２６により圧縮された画像データをデジタルインターフェース端子４０またはワイヤレス通信ユニット４２を介して外部装置４４に送信するドライバー３８を備えている。
【００２０】
なお、補正回路１２、γ変換回路１８、輪郭補正回路２２、ＹＣｒＣｂマトリクス回路２４は、本発明の補正手段を構成する。
【００２１】
また、デジタルスチールカメラ５０は、ＹＣｒＣｂマトリクス回路２４、ドライバ２８、ドライバ３８、及びＬＣＤドライバ３２に接続されたメモリ３６を備えている。ＬＣＤドライバー３２は、ＹＣｒＣｂマトリクス回路２４に接続されるとともにＬＣＤモニタ３４に接続されている。補正回路１２、γ変換回路１８、輪郭補正回路２２、ＹＣｒＣｂマトリクス回路２４、ドライバ２８、３８には制御回路４６が接続されている。制御回路４６には、図４（Ａ）にも示すように、デジタルスチールカメラの背面に設けられた、十字カーソル８２、モードダイヤル８４、実行ボタン８６が接続されている。なお、モードダイヤル８４、実行ボタン８６は本発明のモード設定手段を構成する。
【００２２】
モードダイヤル８４は、図４（Ｂ）に示すように、セルフタイマー撮影モードを表す文字ＳＥＬＦ８４Ａ、セットアップモードを表す文字ＳＥＴＵＰ８４Ｂ、オート撮影モードを表す文字Ａ８４Ｃ、マニュアル撮影モードを表す文字Ｍ８４Ｄ、撮影後の画像をＬＣＤモニタ３４に再生するモードを表す文字再生８４Ｅ、及び外部機器との接続モードを表す記号８４Ｆが設けられており、基準位置８８（図４（Ａ）参照）に位置する文字等に対応するモードを設定する。
【００２３】
次に、本実施の形態の作用を説明する。
【００２４】
図５（Ａ）に示すように、文字ＳＥＴＵＰ８４Ｂが基準位置８８に位置するようにモードダイヤル８４が操作され、実行ボタン８６がオンされると、これを検知した制御回路４６はＬＣＤドライバ６２を制御して、ＬＣＤモニタ８４の画面を、図５（Ｂ）に示す、セットアップ画面３４Ｇ１にする。十字カーソル８２を操作してカーソルがオート再学習に位置して実行ボタン８６がオンされると、プリント情報に基づいてデジタルスチールカメラで補正を行なう為の、プリント情報をデジタルスチールカメラの各素子に設定（オート再学習）することを行なう実行条件を複数の中から選択して設定するモードが選択される。これにより図５（Ｃ）に示すように、オート再学習を行なう実行条件を決定する画面３４Ｇ２となる。
【００２５】
選択画面３４Ｇ２に示すように、オート再学習を行なう実行条件には、図５（Ｃ）に示すように、オフモード、フルオート、確認モード、カスタムの複数、本実施の形態では、４つの実行条件がある。
【００２６】
オフモードは、オート再学習を以降中止することを設定するものである。フルオートは、電源オン時またはスマートメディア交換時に自動でオート再学習することを設定するものである。確認モードは、電源オン時またはスマートメディア交換時に、オート再学習の可否をユーザに確認させるものである。カスタムは、直ちにオート再学習させるものである。
【００２７】
図６には、複数の実行条件の内のの１つの実行条件、例えば、上記のフルオートが選択され、スマートメディア３０が交換された時にスタートするプリント情報設定処理ルーチンが示されている。
【００２８】
ステップ７２で、スマートメディア３０の画像ファイル６３内の情報を検出し、ステップ７４で、同じカメラ且つプリント情報有り且つカメラ内画質補正への反映マーク無しを満たすかどうかを判断し、これらを満たす画像ファイルである場合には、プリント情報を記録する領域６３Ｂの白バランス補正量を記録する領域６３Ｂ１から白バランス補正量を読み込み、全体の白バランス補正平均値を算出する。
【００２９】
ステップ７６で、上記白バランス補正平均値から、デジタルスチールカメラで追加補正すべきＡＷＢ追加制御量（Ａ）を算出する。ステップ７８で現状のＡＷＢ追加制御量と上記ＡＷＢ追加制御量（Ａ）とを乗算し、新ＡＷＢ追加制御量を決定しカメラ内（補正回路１２）に設定する。即ち、現状ＡＷＢ追加制御量が
Ｒ／Ｇ＝０．９８，Ｂ／Ｇ＝１．０２
であり、ＡＷＢ追加制御量（Ａ）が
Ｒ／Ｇ＝１．００，Ｂ／Ｇ＝１．０７
の場合、新ＡＷＢ追加制御量は
Ｒ／Ｇ＝０．９８×１．００＝０．９８
Ｂ／Ｇ＝１．０２×１．０７＝１．０９
となる。即ち、画像信号のうちＲ信号、Ｂ信号にそれぞれ０．９８倍、１．０９倍のゲイン調整を行なうように設定される。
【００３０】
なお、上記ステップ７８では、上記処理に加え、カメラ内画質補正への反映マークを記録する領域６３Ｃに反映有りを記録することにより、重複する設定を防止するようにする。
【００３１】
なお、上記ルーチンでは、白バランス補正量を代表して説明したが、他の補正量も同様に処理し、対応する素子（補正回路１２、γ変換回路１８、輪郭補正回路２２、ＹＣｒＣｂマトリクス回路２４）を設定する。即ち、スマートメディア３０の画像ファイル６３内のプリント情報を記録する領域６３Ｂから読み取ったプリント情報（明るさ補正量、階調補正量、色合い補正量、輪郭補正量）に基づいて、対応する素子を設定する。例えば、明るさ補正量に基づいて補正回路１２のＡＥ制御量を設定し、階調補正量に基づいてγ変換回路１８のγ補正量を設定し、色合い補正量に基づいてＹＣｒＣｂマトリクス回路２４のマトリクス補正量(色補正係数の補正量）を設定し、輪郭補正量に基づいて輪郭補正回路２２の輪郭強調係数を補正する補正量を設定する。
【００３２】
なお、オフモードが選択された場合は、オート再学習が以降中止される。確認モードが選択された場合は、電源オン時またはスマートメディア交換時に、オート再学習の可否をユーザに確認させ、オート再学習が設定された場合には、この時点で、上記処理(ステップ７２〜７８）を実行する。カスタムが選択された場合に、選択されたときに直ちに上記処理(ステップ７２〜７８）を実行する。
【００３３】
上記処理により、以後は、設定された内容に従って画像情報が各素子（補正回路１２、γ変換回路１８、輪郭補正回路２２、ＹＣｒＣｂマトリクス回路２４）により補正される。
【００３４】
即ち、撮像装置１０により被写体が撮影されて得られた画像信号は補正回路１２で上記設定された内容に従ってＡＥ／ＡＷＢ補正され、補正回路１２により補正された画像信号は変換回路１４によりデジタル画像データに変換される。デジタル変換された画像データは、リニアマトリクス回路１６により色補正係数が補正され、リニアマトリクス回路１６により色補正係数が補正された画像データはγ変換回路１８により上記設定された内容に従ってγ補正され、γ変換回路１８によりγ補正された画像データ（ＲＧＢデータ）は、ＹＣｒＣｂ変換回路２０より、ＹＣｒＣｂに変換され、ＹＣｒＣｂ変換回路２０により変換された画像データ（ＹＣｒＣｂデータ）は、輪郭補正回路２２により上記設定された内容に従って輪郭補正される。輪郭補正回路２２により輪郭が補正された画像データは、ＹＣｒＣｂマトリクス回路２４により上記設定された内容に従って色補正係数が再補正される。ＹＣｒＣｂマトリクス回路２４により色補正係数が補正された画像データは圧縮回路２６で圧縮される。
【００３５】
圧縮回路２６により圧縮された画像データはドライバ２８、３８、デジタルインターフェース端子４０またはワイヤレス通信ユニット４２を介して外部装置４４に送信され、又は、スマートメディア３０に記録される。
【００３６】
このように、本実施の形態では、スマートメディアが画像データ及びプリント情報（プリンタでの補正内容を表す情報）を記録可能なように構成され、このスマートメディアが装填されたデジタルスチールカメラはスマートメディアに記録されたプリント情報に従って画像情報を補正するように設定し、設定された内容で画像情報を補正する。よって、従来はプリンタで行っていた画像情報の補正を、デジタルスチールカメラ側で済ましているので、プリントで行う補正を少なくすることが出来る。よって、究極的にはプリンタでの画像情報の補正を無くすことができる。
【００３７】
一方、モードダイヤル８４が操作されて文字Ｍ８４Ｄが基準位置８８に位置して実行ボタン８６がオンされると、前述したようにマニュアル撮影モードが設定される。マニュアル撮影モードが設定されると、これを検知した制御回路は、ＬＣＤドライバ３２を制御して、ＬＣＤモニタ３４の画面をマニュアル撮影モード選択画面３４Ｇ３（図７（Ｂ）参照）にする。これにより、マニュアルでホワイトバランスの補正係数を設定したり、露出補正をマニュアルで設定したり、学習オートのオンオフをマニュアルで設定することが出来る。即ち、例えば、十字カーソル８２を操作して学習オートにカーソルを以降させて実行ボタン８６がオンされると、ＬＣＤモニタ３４の画面は、図７（Ｃ）に示す状態となり、学習オートをオンするかオフするかを選択させる画面になる。
【００３８】
学習オートオンを選択すると、以後は、上記プリント情報に従って設定された補正内容により、各素子が画像情報を補正する。一方、学習オートオフが選択された場合には、各素子について予め設定された内容（工場出荷時の情報）に基づいて画像情報を補正するように設定する。  以上説明した実施の形態では、プリンタ情報をスマートメディアに記録し、スマートメディアからプリント情報を読み出し各素子を設定するようにしているが、本発明のこれに限定されるものでなく、プリンタから直接プリント情報を入力して各素子を設定するようにしてもよい。
【００３９】
また、前述した実施の形態では、スマートメディアとプリンタとが一対一の関係となっているが、本発明はこれに限定されるものではなく、スマートメディアには、複数のプリンタ各々のプリント情報とプリンタの識別情報とを対応して記憶し、各プリンタは、自己を識別する識別情報に対応するプリンタ情報を記憶するようにし、デジタルスチールカメラは、当該デジタルスチールカメラのスマートメディアが装填されるプリンタのプリント情報を選択的に設定するようにしてもよい。
【００４０】
なお、スマートメディアを用いることに限定されず、磁気ディスクや光ディスクなどを用いるようにしてもよい。
【００４１】
【発明の効果】
以上説明したように本発明は、撮影装置において、画像形成装置で画像情報を補正する為の画像補正情報に従って画像情報を補正するので、画像形成装置で行なう画像情報の補正を少なくすることも出来る、という効果を有する。
【図面の簡単な説明】
【図１】プリンタのブロック図である。
【図２】スマートメディアの画像ファイル構成を示した図である。
【図３】デジタルスチールカメラのブロック図である。
【図４】（Ａ）及び（Ｂ）は、デジタルスチールカメラの背面の構成を示す図である。
【図５】（Ａ）、（Ｂ）、（Ｃ）は、セットアップモードのセットの流れを説明する説明図である。
【図６】プリント情報記録処理ルーチンを示した図である。
【図７】（Ａ）、（Ｂ）、（Ｃ）は、マニュアル撮影モードの学習オートのオンオフを設定する流れを説明する説明図である。
【符号の説明】
１０      撮像装置(撮影手段）
１２      補正回路(補正手段）
３０      スマートメディア（記録媒体)
２８    ドライバ(入力手段）
１８    γ変換回路(補正手段）
２２    輪郭補正回路(補正手段）
２４    ＹＣｒＣｂマトリクス回路(補正手段）
８４    モードダイヤル（設定手段）
８６    実行ボタン（設定手段）
【図１】
0004213297.tif 000002
【図２】
0004213297.tif 000003
【図３】
0004213297.tif 000004
【図４】
0004213297.tif 000005
【図５】
0004213297.tif 000006
【図６】
0004213297.tif 000007
【図７】
0004213297.tif 000008